(57)【要約】  【課題】簡単に収納体の支持解除ができる支持装置を提供する。  【解決手段】支持装置１は、収納体３の紐状部５を保持する保持位置およびその紐状部５の保持を解除する保持解除位置間で回動可能な紐保持体23を備える。紐保持体23は、収納体３の紐状部５を保持する略円弧状の紐保持部を有する。紐保持体23は、この紐保持体23を回動操作する際に把持するハンドル部を有する。紐保持体23は、保持位置に位置した状態時に被当接部に当接して紐保持体23の回動を規制する当接部を有する。  【選択図】図１
2005343499.tif 000002
【特許請求の範囲】
【請求項１】
紐状部を有する収納体を支持する支持装置であって、
前記収納体の前記紐状部を保持する保持位置およびその紐状部の保持を解除する保持解除位置間で回動可能な紐保持体を備える
ことを特徴とする支持装置。
【請求項２】
紐保持体は、この紐保持体を回動操作する際に把持するハンドル部を有する
ことを特徴とする請求項１記載の支持装置。
【請求項３】
紐保持体は、保持位置に位置した状態時に被当接部に当接して前記紐保持体の回動を規制する当接部を有する
ことを特徴とする請求項１または２記載の支持装置。
【請求項４】
紐保持体は、収納体の紐状部を保持する略円弧状の紐保持部を有する
ことを特徴とする請求項１ないし３のいずれか一記載の支持装置。
【発明の詳細な説明】
【技術分野】
【０００１】
本発明は、簡単に収納体の支持解除ができる支持装置に関するものである。
【背景技術】
【０００２】
従来、例えば袋状の収納体の紐状部を保持するＬ形状の紐保持体（案内具）が固定支持枠および移動支持枠の各隅部下端部に固着された支持装置が知られている（例えば、特許文献１参照）。
【特許文献１】実開平６−２３４１３号公報
【発明の開示】
【発明が解決しようとする課題】
【０００３】
しかしながら、上記従来の支持装置では、例えば紐保持体による紐状部の保持がスムーズに解除されない場合があり、収納体の支持解除に手間取るおそれがある。
【０００４】
本発明は、このような点に鑑みなされたもので、簡単に収納体の支持解除ができる支持装置を提供することを目的とする。
【課題を解決するための手段】
【０００５】
請求項１記載の支持装置は、紐状部を有する収納体を支持する支持装置であって、前記収納体の前記紐状部を保持する保持位置およびその紐状部の保持を解除する保持解除位置間で回動可能な紐保持体を備えるものである。
【０００６】
そして、紐保持体を保持解除位置まで回動させることにより紐保持体による紐状部の保持をスムーズに解除できるため、簡単に収納体の支持解除が可能である。
【０００７】
請求項２記載の支持装置は、請求項１記載の支持装置において、紐保持体は、この紐保持体を回動操作する際に把持するハンドル部を有するものである。
【０００８】
そして、ハンドル部を把持して回動操作することにより紐保持体を簡単に回動させることが可能である。
【０００９】
請求項３記載の支持装置は、請求項１または２記載の支持装置において、紐保持体は、保持位置に位置した状態時に被当接部に当接して前記紐保持体の回動を規制する当接部を有するものである。
【００１０】
そして、当接部が被当接部に当接して紐保持体の回動を規制するため、紐保持体を保持位置に適切に位置させておくことが可能である。
【００１１】
請求項４記載の支持装置は、請求項１ないし３のいずれか一記載の支持装置において、紐保持体は、収納体の紐状部を保持する略円弧状の紐保持部を有するものである。
【００１２】
そして、略円弧状の紐保持部にて紐状部を適切に保持可能であるとともに、略円弧状の紐保持部による紐状部の保持をスムーズに解除可能である。
【発明の効果】
【００１３】
請求項１に係る発明によれば、紐保持体を保持解除位置まで回動させることにより紐保持体による紐状部の保持をスムーズに解除できるため、簡単に収納体の支持解除ができる。
【００１４】
請求項２に係る発明によれば、ハンドル部を把持して回動操作することにより紐保持体を簡単に回動させることができる。
【００１５】
請求項３に係る発明によれば、当接部が被当接部に当接して紐保持体の回動を規制するため、紐保持体を保持位置に適切に位置させておくことができる。
【００１６】
請求項４に係る発明によれば、略円弧状の紐保持部にて紐状部を適切に保持できるとともに、略円弧状の紐保持部による紐状部の保持をスムーズに解除できる。
【発明を実施するための最良の形態】
【００１７】
本発明の支持装置の一実施の形態を図面を参照して説明する。
【００１８】
図１および図２において、１は定置式の支持装置で、この支持装置１は、例えば馬鈴薯、玉葱等の農産物である被収納物（図示せず）が上方に向って開口した開口部２から収納される柔軟な袋状の収納体（フレキシブルコンテナ等）３を支持するものである。
【００１９】
収納体３は、開口部２が上部に形成された袋状本体部４と、この袋状本体部４の開口部２の周縁部に取り付けられた左右２本の紐状部（吊りバンド、固定用紐等）５とを有している。
【００２０】
支持装置１は、収納体３を支持する外形略直方体状の支持装置本体７を備えている。
【００２１】
支持装置本体７は、収納体３が載置されこの載置された収納体３を下方から支持する載置部８を底部に有し、この載置部８の前部には左右２本の前柱フレーム部９が立設され、各前柱フレーム部９は載置部８に対して着脱可能となっている。すなわち前柱フレーム部９の下端部が載置部８の前部に形成された筒状部分10内に嵌脱可能に嵌入されている。
【００２２】
また、載置部８の後部には左右２本の後柱フレーム部11が固定的に立設され、各後柱フレーム部11の上端部には長手状のフレーム部である回動フレーム部12の後端部が左右水平方向の回動軸13を中心として回動可能に取り付けられている。
【００２３】
さらに、互いに離間対向した左右２本の回動フレーム部12の各前端部は、回動フレーム部12全体が水平姿勢に設定された状態でボルト14および蝶ナット15にて前柱フレーム部９の上端部に着脱可能に取り付けられている。なお、図１の２点鎖線で示すように、収納体３の取外し時（支持解除時）には、蝶ナット15を外してから回動フレーム部12を回動軸13を中心として上方回動させることにより回動フレーム部12全体を傾斜姿勢に設定できる。なお、両回動フレーム部12の前端部相互は連結フレーム部16にて連結されている。
【００２４】
そして、左右の各回動フレーム部12の長手方向中央部からは長手状のフレーム部21が下方に向って突出し、このフレーム部21の下端部には収納体３の紐状部５が掛けられる紐掛け突部（ピン等）22が突設されている。
【００２５】
また、左右の各回動フレーム部12の前後端部近傍には、収納体３の紐状部５が掛けられこの掛けられた紐状部５を保持する保持位置およびその紐状部５の保持を解除する保持解除位置間で回動可能な紐保持体（レバー付フック等）23が設けられている。
【００２６】
すなわち、図３ないし図５に示されるように、紐保持体23は、支持装置本体７の回動フレーム部12の端部近傍に円筒状のカラー24を介して上下方向の回動中心軸線Ｘを中心として水平方向に回動可能に設けられている。
【００２７】
そして、支持装置本体７の上部の４箇所に設けられた紐保持体23の各々は、カラー24の内周側に回動可能に嵌合された上下方向の軸部31を有し、この軸部31の上端部外周にフランジ32が形成され、このフランジ32の下面がカラー24の上面にて支持されている。
【００２８】
また、各紐保持体23の軸部31の上端部には、収納体３の紐状部５が掛けられこの掛けられた紐状部５を保持する断面略円形で略円弧状の紐保持部33が一体に設けられている。紐保持部33は、上下方向の直線状部分34と、水平方向の直線状部分35と、両直線状部分34，35間の円弧状部分36とにて構成されている。また、紐保持部33の水平方向の直線状部分35の先端部が略半球形状の半球部35aとなっている。そして、紐保持体23が保持位置に位置した状態時には紐保持部33はその先端部である半球部35aが外側方を向いた状態となり、紐保持体23が保持解除位置に位置した状態時には紐保持部33はその先端部である半球部35aが内側方つまり収納体３側を向いた状態となる。
【００２９】
さらに、紐保持部33の上下方向の直線状部分34の周面部には、紐保持体23を保持位置或いは保持解除位置へ回動操作する際に把持する杆状のハンドル部37が固定的に突設されている。
【００３０】
ハンドル部37は、３箇所で屈曲された杆状部材からなるもので、基端部が紐保持部33の上下方向の直線状部分34の周面部に固着された水平方向の第１杆状部41を有し、この第１杆状部41の先端部からは水平方向の第２杆状部42が第１杆状部41に対して傾斜した方向に沿って一体に突出し、この第２杆状部42の先端部からは水平方向の第３杆状部43が第１杆状部41に対して平行な方向に沿って一体に突出し、この第３杆状部43の先端部からは水平方向の第４杆状部44が第３杆状部43に対して直交した方向に沿って一体に突出している。
【００３１】
そして、ハンドル部37の第４杆状部44の先端部が、紐保持体23が保持位置に位置した状態時に、回動フレーム部12の側面一部にて構成された被当接部40に当接して紐保持体23の所定方向への回動（保持解除位置側に向う方向とは反対の方向への回動つまり図３では時計回りの回動）を規制する当接部45となっている。なお、紐保持体23の軸部31のカラー24の下面から突出した下端部には、座金47およびロールピン48が取り付けられている。
【００３２】
次に、上記支持装置１の作用等を説明する。
【００３３】
被収納物を収納体３内に収納する収納作業時には、収納体３の底面部を載置部８上に載せ、収納体３の紐状部５を４つの紐保持部33および２つの紐掛け突部22に弛みなく掛け渡し、収納体３の開口部２を上方に向けて開口させる。
【００３４】
このとき、紐保持体23は当接部45が収納体３内の被収納物の重量に基いて水平姿勢の回動フレーム部12の被当接部40に当接した状態で保持位置に位置し、この保持位置に位置した紐保持体23の紐保持部33は半球部35aが外側方を向いた状態で収納体３の紐状部５を保持する。
【００３５】
そして、この支持装置１にて支持された収納体３内への被収納物の収納作業が進み、収納体３内が被収納物で満杯になると、被収納物で満杯の収納体３を支持装置１から取り外す。
【００３６】
この収納体３の取外しの際には、先ず、図３に示すように、ハンドル部37を把持して図示矢印方向に回動操作することにより紐保持体23を保持解除位置まで回動中心軸線Ｘを中心として１８０°回動させる。
【００３７】
紐保持体23が１８０°回動すると、図５に示すように、紐保持体23の紐保持部33は半球部35aが内側方を向いた状態となり、その結果、収納体３の紐状部５が収納体３内の被収納物の重量に基いて図示矢印のように紐保持部33の上面に沿って移動し、紐保持部33による紐状部５の保持がスムーズに解除される。
【００３８】
その後、支持装置本体７の回動フレーム部12を回動軸13を中心として上方回動させることにより回動フレーム部12を傾斜姿勢に設定するとともに、前柱フレーム部９を載置部８から取り外してから、被収納物で満杯の収納体３を載置部８上から他の所望位置に下ろす。
【００３９】
そして、上記支持装置１によれば、紐保持体23を保持位置から保持解除位置まで回動させることにより紐保持体23の紐保持部33による紐状部５の保持をスムーズに解除できるため、簡単に収納体３の支持解除ができる。すなわち、被収納物で満杯の収納体３を支持装置１から簡単に取り外すことができる。
【００４０】
また、紐保持体23が保持位置に位置した状態では紐保持体23の当接部45が回動フレーム部12の被当接部40に当接して紐保持体23の回動を規制するため、紐保持体を保持位置に適切に位置させておくことができ、被収納物の収納体３内への収納作業が適切にできる。
【００４１】
なお、上記一実施の形態では、圃場等の上に直接置いて使用する定置式の支持装置１について説明したが、図６および図７に示すような自走式の収穫機51が後端部に備える支持装置１でもよい。
【００４２】
この収穫機51は、被収納物である農産物を掘り起す掘起体52およびこの掘起体52からの農産物を搬送する搬送部53を有しかつクローラ部54を下部に有する収穫機本体55を備えている。
【００４３】
そして、この収穫機本体55の後端部には、搬送部53から搬出される農産物が上方に向って開口した開口部２から収納される柔軟な袋状の収納体３を支持する支持装置１が設けられている。
【００４４】
この支持装置１の支持装置本体７は、図１に示すものとは異なり、収納体３が載置されこの載置された収納体３を下方から支持する載置部61を底部に有し、この載置部61の前部には左右２本の前柱フレーム部62が固定的に立設されている。各前柱フレーム部62の上端部からは長手状の第１フレーム部63が水平方向に沿って後方に向って突出し、左右２本の第１フレーム部63の各々には収納体３の紐状部５が掛けられる紐掛け突部（ピン等）22が突設されている。
【００４５】
また、各前柱フレーム部62の上端部よりやや下方の位置からは被当接部40を有する長手状の第２フレーム部64が後ろ斜め上方に向って突出し、左右２本の第２フレーム部64の各々の２箇所には保持位置および保持解除位置間で回動可能な紐保持体23が設けられている。この各紐保持体23は、図３等に示すものと同一構成のもので、紐保持部33、ハンドル部37および当接部45等を有している。
【００４６】
そして、この自走式の収穫機51が備える支持装置１でも、紐保持体23を保持位置から保持解除位置まで回動させることにより紐保持体23の紐保持部33による紐状部５の保持をスムーズに解除できるため、簡単に収納体３の支持解除ができる等、上記一実施の形態と同様の作用効果を奏することができる。
【００４７】
なお、紐保持体23は、略９０°の折れ角度をもって略円弧状に屈曲形成された紐保持部33を有するものには限定されず、例えば図８に示すように、略半球形状の先端部73aが斜め下方を向くよう９０°より小さい折れ角度θをもって略円弧状に屈曲形成された紐保持部73を有するもの等でもよい。
【図面の簡単な説明】
【００４８】
【図１】本発明の支持装置の一実施の形態を示す側面図である。
【図２】同上支持装置の正面図である。
【図３】同上支持装置の紐保持体の平面図である。
【図４】同上紐保持体の側面図である。
【図５】同上紐保持体の正面図である。
【図６】本発明の支持装置の他の実施の形態を備えた収穫機の側面図である。
【図７】同上収穫機の支持装置の側面図である。
【図８】本発明の他の実施の形態の紐保持体の正面図である。
【符号の説明】
【００４９】
１    支持装置
３    収納体
５    紐状部
23    紐保持体
33，73    紐保持部
37    ハンドル部
40    被当接部
45    当接部
【図１】
2005343499.tif 000003
【図２】
2005343499.tif 000004
【図３】
2005343499.tif 000005
【図４】
2005343499.tif 000006
【図５】
2005343499.tif 000007
【図６】
2005343499.tif 000008
【図７】
2005343499.tif 000009
【図８】
2005343499.tif 000010